(57)【要約】【課題】構造物の表面との間の水はけを良好にできると共に、構造物の表面に対して固定された状態を良好に維持することができる基材プレートを提供することを課題とする。【解決手段】板状に形成された本体部から構成され、該本体部の一方の面が構造物の表面に接するように構成されると共に、本体部の他方の面に接する他の部材を構造物の表面から離間した位置に保持する基材プレートであって、前記本体部は、一方の面側に形成された一方面側溝部と、他方の面側に形成された他方面側溝部と、一方面側溝部と他方面側溝部とを連通させるように本体部を厚み方向に貫通する貫通孔とを備えると共に、一方面側溝部及び他方面側溝部の各内側空間を面方向外方へ解放する溝部解放部を外周端部に複数備えており、本体部の一方の面における構造物と接する領域の合計面積が一方面側溝部が形成された領域の合計面積よりも広くなるように構成される。【選択図】図１
2017186768.tif 000002
【特許請求の範囲】
【請求項１】
板状に形成された本体部から構成され、該本体部の一方の面が構造物の表面に接するように構成されると共に、本体部の他方の面に接する他の部材を構造物の表面から離間した位置に保持する基材プレートであって、
前記本体部は、一方の面側に形成された一方面側溝部と、他方の面側に形成された他方面側溝部と、一方面側溝部と他方面側溝部とを連通させるように本体部を厚み方向に貫通する貫通孔とを備えると共に、一方面側溝部及び他方面側溝部の各内側空間を面方向外方へ解放する溝部解放部を外周端部に複数備えており、
本体部の一方の面における構造物と接する領域の合計面積が一方面側溝部が形成された領域の合計面積よりも広くなるように構成される基材プレート。
【請求項２】
一方向に伸びる前記一方面側溝部と、一方向又は一方向に対して交差する他方向に伸びる前記他方面側溝部とを備えており、
前記一方面側溝部及び他方面側溝部の長手方向の各両端部に前記溝部解放部が形成される請求項１に記載の基材プレート。
【請求項３】
前記一方面側溝部又は他方面側溝部の少なくとも一方を複数備える請求項１又は２に記載の基材プレート。
【請求項４】
請求項１乃至３の何れか一項に記載の基材プレートを複数用い、一の基材プレートが備える一方面側溝部の溝部解放部と、該一の基材プレートに隣接する他の基材プレートが備える一方面側溝部の溝部解放部とが本体部の面方向で重なるように一の基材プレートと他の基材プレートとを配列する基材プレートの配列方法。
【発明の詳細な説明】
【技術分野】
【０００１】
本発明は、構造物の表面に配置される部材を構造物の表面から離間した位置に保持するための基材プレートに関する。
【背景技術】
【０００２】
例えば、住宅などの構造物のベランダや屋上がコンクリートの露出した床面である場合、雨水などの水分が床面に残存しやすくなる。このため、床面における水分が残存した領域を人が歩行した際に、足を滑らして怪我をする虞がある。また、床面の美観を向上させたいという要求も近年増加している。このため、床面上にタイルや木材等を敷き詰めて人が床面と接触するのを防止すると共に、タイルや木材等の加飾効果によって床面の美観を向上させる方法が知られている。
【０００３】
このように、床面上にタイル等を配置する際には、タイル等を床面から離間した位置に保持する基材が用いられている。例えば、基材としては、樹脂製のマットが用いられている。このような樹脂製のマットを用いることで、タイル等が床面から離間した位置に安定して保持される。しかしながら、樹脂製のマットを基材として用いると、樹脂製のマットの一方の面が全体的に床面と接触するため、樹脂製のマットと床面との間の水はけが悪くなる。
【０００４】
そこで、床面との接触が点状となるように形成された基材が提案されている（特許文献１，２参照）。斯かる基材は、床面との設置面積が比較的小さくなるため、基材と床面との間を水分や空気が流通し易くなる。これにより、基材と床面との間からの水分の排出及び乾燥を効果的に行うことが可能となっている。
【先行技術文献】
【特許文献】
【０００５】
【特許文献１】特開２００３−２７７１１号公報
【特許文献２】特開２００５−１１３６７１号公報
【発明の概要】
【発明が解決しようとする課題】
【０００６】
ところで、上記のような基材を床面上に載置する際には、基材における床面との接触部分と床面との間に両面テープや接着剤を介在させることで、床面に対して基材が固定される。しかしながら、上記のように、基材と床面との接触が点状になると、床面との設置面積が比較的小さくなるため、床面に対して基材を固定する力（両面テープや接着剤の剥離強度）が小さくなる。このため、屋外の床面等のように、風の影響を受け易い環境で基材を使用する場合には、床面に対して基材が固定された状態を良好に維持することが困難になる。
【０００７】
そこで、本発明は、構造物の表面との間の水はけを良好にできると共に、構造物の表面に対して固定された状態を良好に維持することができる基材プレートを提供すると共に、該基材プレートの配列方法を提供することを課題とする。
【課題を解決するための手段】
【０００８】
本発明に係る基材プレートは、板状に形成された本体部から構成され、該本体部の一方の面が構造物の表面に接するように構成されると共に、本体部の他方の面に接する他の部材を構造物の表面から離間した位置に保持する基材プレートであって、前記本体部は、一方の面側に形成された一方面側溝部と、他方の面側に形成された他方面側溝部と、一方面側溝部と他方面側溝部とを連通させるように本体部を厚み方向に貫通する貫通孔とを備えると共に、一方面側溝部及び他方面側溝部の各内側空間を面方向外方へ解放する溝部解放部を外周端部に複数備えており、本体部の一方の面における構造物と接する領域の合計面積が一方面側溝部が形成された領域の合計面積よりも広くなるように構成される。
【０００９】
斯かる構成によれば、本体部が一方面側溝部、他方面側溝部、及び、貫通孔を備えることで、基材プレートの一方の面と構造物の表面との間、及び、基材プレートの他方の面と該他方の面に接する他の部材との間に湿気や水（以下、水分とも記す）が溜まってしまうのを抑制することができる。
【００１０】
具体的には、一方面側溝部及び他方面側溝部の各内側空間を面方向外方へ解放する溝部解放部を本体部の外周端部に複数備えるため、一方面側溝部や他方面側溝部の内側の水分が溝部解放部から本体部の外側へ排出される。また、一方面側溝部と他方面側溝部とを連通させる貫通孔を備えことで、一方面側溝部（又は、他方面側溝部）の内側の水分が貫通孔を介して他方面側溝部（又は、一方面側溝部）の内側へ流入し、該水分が他方面側溝部（又は、一方面側溝部）を本体部の外側へ解放する溝部解放部から本体部の外側へ排出される。これにより、基材プレートの一方の面と構造物の表面との間、及び、基材プレートの他方の面と該他方の面に接する他の部材との間に水分が溜まってしまうのを抑制することができる。
【００１１】
更に、本体部の一方の面における構造物と接する領域の面積が一方面側溝部の占める面積よりも広くなるように構成されることで、基材プレートと構造物の表面との接触面積を比較的広く確保することができる。これにより、例えば、本体部の一方の面における構造物と接する領域と構造物の表面との間に両面テープや接着剤を介在させた際に、良好な接着強度を得ることができるため、構造物の表面に対して基材プレートが固定された状態を良好に維持することができる。
【００１２】
一方向に伸びる前記一方面側溝部と、一方向又は一方向に対して交差する他方向に伸びる前記他方面側溝部とを備えており、前記一方面側溝部及び他方面側溝部の長手方向の各両端部に前記溝部解放部が形成されることが好ましい。
【００１３】
斯かる構成によれば、一方向に伸びる前記一方面側溝部と、一方向又は一方向に対して交差する他方向に伸びる前記他方面側溝部とを備えており、前記一方面側溝部及び他方面側溝部の長手方向の各両端部に前記溝部解放部が形成されることで、一方面側溝部及び他方面側溝部の内側の水分が一方向又は他方向に向けて流れるため、水や湿気の流通がスムーズになる。これにより、一方面側溝部及び他方面側溝部の内側の水分を本体部の外側へ効果的に排出させることができる。
【００１４】
前記一方面側溝部又は他方面側溝部の少なくとも一方を複数備えることが好ましい。
【００１５】
斯かる構成によれば、前記一方面側溝部又は他方面側溝部の少なくとも一方を複数備えることで、基材プレートの一方の面と構造物の表面との間、及び、基材プレートの他方の面と該他方の面に接する他の部材との間の水分を本体部の外側へ排出可能な流路が複数形成されることになる。これにより、基材プレートの一方の面と構造物の表面との間、及び、基材プレートの他方の面と該他方の面に接する他の部材との間に水分が溜まってしまうのをより効果的に抑制することができる。
【００１６】
本発明に係る基材プレートの配列方法は、上記何れかの基材プレートを複数用い、一の基材プレートが備える一方面側溝部の溝部解放部と、該一の基材プレートに隣接する他の基材プレートが備える一方面側溝部の溝部解放部とが本体部の面方向で重なるように一の基材プレートと他の基材プレートとを配列する。
【００１７】
斯かる構成によれば、一の基材プレートが備える一方面側溝部の溝部解放部と、該一の基材プレートに隣接する他の基材プレートが備える一方面側溝部の溝部解放部とが本体部の面方向で重なるように一の基材プレートと他の基材プレートとを配列することで、一の基材プレートが備える一方面側溝部と他の基材プレートが備える一方面側溝部とが連通する。これにより、複数の基材プレートが構造物の表面に接するように配列される場合であっても、構造物の表面と複数の基材プレートとの間の水分を複数の基材プレートの配列の外側へ排出することができる。
【発明の効果】
【００１８】
以上のように、本発明によれば、構造物の表面との間の水はけを良好にできると共に、構造物の表面に対して固定された状態を良好に維持することができる。
【図面の簡単な説明】
【００１９】
【図１】本発明の一実施形態に係る基材プレートを一方の面側から見た図。
【図２】同実施形態に係る基材プレートを他方の面側から見た図。
【図３】同実施形態に係る基材プレートの外周端部の端面図。
【図４】（ａ）は、同実施形態に係る基材プレートが構造物上に配置されると共に他の部材が基材プレート上に配置された状態における基材プレートの外周端部の端面図、（ｂ）は、図１のＩ−Ｉ断面において、基材プレートが構造物上に配置されると共に他の部材が基材プレート上に配置された状態を示した断面図。
【発明を実施するための形態】
【００２０】
以下、本発明の実施形態について図１〜４を参照しながら説明する。なお、以下の図面において同一または相当する部分には同一の参照符号を付しその説明は繰り返さない。
【００２１】
本実施形態に係る基材プレート１は、図１に示すように、板状に形成された本体部１０から構成される。本体部１０（即ち、基材プレート１）は、四角形状に形成される。また、本体部１０（即ち、基材プレート１）は、一方の面が構造物の表面に接するように構成され、他方の面に接する他の部材を構造物の表面から離間した位置に保持するように構成される。なお、「本体部１０（即ち、基材プレート１）の一方の面が構造物の表面に接する」とは、例えば、両面テープや粘着剤等を介して接することを含む。基材プレート１（即ち、本体部１０）の厚み（一方の面と他方の面との間の距離）としては、特に限定されるものではなく、例えば、１５ｍｍ以上１００ｍｍ以下に形成することができる。
【００２２】
また、基材プレート１（即ち、本体部１０）を形成する方法としては、特に限定されるものではなく、例えば、複数の発泡樹脂粒子を金型内で発泡成形する方法が挙げられる。発泡樹脂粒子を構成する素材としては、特に限定されるものではなく、例えば、ポリスチレン系樹脂、ポリオレフィン系樹脂、ポリエステル系樹脂、ポリカーボネート系樹脂、ポリ乳酸系樹脂、又は、これらを含む複合樹脂からなるものが挙げられる。
【００２３】
前記本体部１０は、一方の面側に溝状に形成された一方面側溝部１０ａを備える。該一方面側溝部１０ａは、幅方向に間隔を空けて対向するように形成された一対の内壁面１０ｂ，１０ｂと、各内壁面１０ｂの深さ方向の端部に連なる底面１０ｃとを備える。また、一方面側溝部１０ａは、底面１０ｃ側から本体部１０の表面側へ向かって内側空間が拡大するように形成される。つまり、一方面側溝部１０ａは、一対の内壁面１０ｂ，１０ｂが底面１０ｃ側から本体部１０の一方の面側へ向かって拡開する（換言すれば、間隔が広がる）ように形成される。
【００２４】
一方面側溝部１０ａの深さとしては、特に限定されるものではなく、例えば、本体部１０の厚み方向に沿って５ｍｍ以上４０ｍｍ以下であることが好ましい。また、一方面側溝部１０ａの幅としては、特に限定されるものではなく、例えば、一対の内壁面における本体部１０の表面側の端部間の距離（一方面側溝部１０ａの幅）が５ｍｍ以上４０ｍｍ以下であることが好ましい。
【００２５】
また、本体部１０は、一方面側溝部１０ａを複数備える。具体的には、本体部１０は、一方向に伸びる（本実施形態では、一方向に沿って直線状の）一方面側溝部１０ａを複数備えると共に、一方向に直交する他方向に伸びる（本実施形態では、他方向に沿って直線状の）一方面側溝部１０ａを複数備える。そして、一方向に伸びる複数の一方面側溝部１０ａが他方向に間隔を空けて並列して形成されると共に、他方向に伸びる複数の一方面側溝部１０ａが一方向に間隔を空けて並列して形成される。つまり、本実施形態の基材プレート１（本体部１０）は、格子状に形成された複数の一方面側溝部１０ａを備える。
【００２６】
また、基材プレート１は、本体部１０の一方の面における構造物と接する領域Ａ１の合計面積が一方面側溝部１０ａが形成された領域（各一方面側溝部１０ａを構成する一対の内壁面１０ｂ，１０ｂにおける底面１０ｃ側の各端部に対して一方面側溝部１０ａの深さ方向で対向する側の各端部間の領域、即ち、一方面側溝部１０ａの開放面）Ａ２の合計面積よりも広くなるように構成される。具体的には、本体部１０の一方の面における構造物と接する領域Ａ１の合計面積は、一方面側溝部１０ａが形成された領域Ａ２の合計面積に対して１００％以上３００％以下であることが好ましい。
【００２７】
また、本体部１０は、一方面側溝部１０ａの内側空間を面方向（本体部１０の厚み方向に対して交差する方向の）外方へ解放可能に構成される。具体的には、本体部１０は、一方面側溝部１０ａの内側空間を面方向外方へ解放する溝部解放部１０ａ’を外周端部に複数備える。より詳しくは、本体部１０の外周端縁の複数箇所に一方面側溝部１０ａが接するように形成される。本実施形態では、一方向に伸びる一方面側溝部１０ａ及び他方向に伸びる一方面側溝部１０ａの長手方向の両端部が本体部１０の外周端縁に達するように形成される。これにより、図３に示すように、本体部１０（基材プレート１）の外周端縁に一方面側溝部１０ａの内側空間を本体部１０の面方向外方へ解放する溝部解放部１０ａ’が形成される。つまり、一方面側溝部１０ａは、複数の（具体的には、長手方向の両端部に）溝部解放部１０ａ’を備える。
【００２８】
図１に戻り、基材プレート１は、本体部１０を厚み方向に貫通する貫通孔１０ｄを備える。具体的には、貫通孔１０ｄは、本体部１０を一方の面側から厚み方向に沿って見た際に、一方面側溝部１０ａと後述する他方面側溝部１０ｆとが重なる位置において本体部１０を厚み方向に貫通するように形成される。より詳しくは、貫通孔１０ｄは、一方面側溝部１０ａの内面（具体的には、底面１０ｃ）から他方面側溝部１０ｆ（具体的には、幅広の他方面側溝部１０ｉ）の内面（具体的には、底面１０ｈ）に亘って本体部１０の厚み方向に形成される。これにより、貫通孔１０ｄは、一方面側溝部１０ａと他方面側溝部１０ｆ（具体的には、幅広の他方面側溝部１０ｉ）とを連通させる。
【００２９】
また、本体部１０の一方の面側に形成された貫通孔１０ｄの開口部１０ｅは、一方面側溝部１０ａの内側に形成される。具体的には、開口部１０ｅは、一方向に伸びる一方面側溝部１０ａと他方向に伸びる一方面側溝部１０ａとの交差位置に形成される。また、開口部１０ｅは、一方面側溝部１０ａの形状に対応した形状に形成される。具体的には、開口部１０ｅは、一方向に伸びる一方面側溝部１０ａと他方向に伸びる一方面側溝部１０ａとの交差位置の形状（即ち、十字状）に形成される。
【００３０】
前記本体部１０は、図２に示すように、他方の面側に溝状に形成された他方面側溝部１０ｆを備える。該他方面側溝部１０ｆは、幅方向に間隔を空けて対向するように形成された一対の内壁面１０ｇ，１０ｇと、各内壁面１０ｇの深さ方向の端部に連なる底面１０ｈとを備える。
【００３１】
他方面側溝部１０ｆの深さとしては、特に限定されるものではなく、例えば、本体部１０の厚み方向に沿った深さが一方面側溝部１０ａの深さよりも浅くなるように（具体的には、１ｍｍ以上１０ｍｍ以下となるように）形成されることが好ましい。また、他方面側溝部１０ｆの幅としては、特に限定されるものではなく、例えば、一対の内壁面１０ｇ，１０ｇにおける本体部１０の表面側の端部間の距離（他方面側溝部１０ｆの幅）が一方面側溝部１０ａの幅よりも細くなる（具体的には、１ｍｍ以上１０ｍｍ以下になる）ことができる。
【００３２】
また、本体部１０は、他方面側溝部１０ｆを複数備える。具体的には、本体部１０は、一方向に伸びる（本実施形態では、一方向に沿って直線状の）他方面側溝部１０ｆを複数備えると共に、一方向に直交する他方向に伸びる（本実施形態では、他方向に沿って直線状の）他方面側溝部１０ｆを複数備える。そして、一方向に伸びる複数の他方面側溝部１０ｆが他方向に間隔を空けて並列して形成されると共に、他方向に伸びる複数の他方面側溝部１０ｆが一方向に間隔を空けて並列して形成される。つまり、基材プレート１（本体部１０）は、格子状に形成された複数の他方面側溝部１０ｆを備える。
【００３３】
また、本体部１０は、幅の異なる２種類の他方面側溝部１０ｆを備える。具体的には、本体部１０は、幅広の他方面側溝部１０ｉを複数備えると共に、幅狭の他方面側溝部１０ｊを複数備える。幅広の各他方面側溝部１０ｉは、幅方向に間隔を空けて複数形成されると共に、幅狭の他方面側溝部１０ｊは、隣り合う幅広の他方面側溝部１０ｉ，１０ｉの間に幅方向に間隔を空けて複数形成される。
【００３４】
また、本体部１０は、他方面側溝部１０ｆの内側空間を面方向外方へ解放可能に構成される。具体的には、本体部１０は、他方面側溝部１０ｆの内側空間を面方向外方へ解放する溝部解放部１０ｆ’を外周端部に複数備える。より詳しくは、本体部１０の外周端縁の複数箇所に接するように他方面側溝部１０ｆが形成される。本実施形態では、一方向に伸びる他方面側溝部１０ｆ及び他方向に伸びる他方面側溝部１０ｆの長手方向の両端部が本体部１０の外周端縁に達するように形成される。これにより、図３に示すように、本体部１０（基材プレート１）の外周端縁に他方面側溝部１０ｆ（具体的には、幅広の他方面側溝部１０ｉ及び幅狭の他方面側溝部１０ｊ）の内側空間を本体部１０の面方向外方へ解放する溝部解放部１０ｆ’（具体的には、溝部解放部１０ｉ’及び溝部解放部１０ｊ’）が形成される。つまり、他方面側溝部１０ｆは、複数の（具体的には、長手方向の両端部に）溝部解放部１０ｆ’（具体的には、溝部解放部１０ｉ’及び溝部解放部１０ｊ’）を備える。
【００３５】
図２に戻り、他方面側溝部１０ｆは、前記貫通孔１０ｄによって一方面側溝部１０ａと連通するように構成される。貫通孔１０ｄは、本体部１０を他方の面側から厚み方向に沿って見た際に、他方面側溝部１０ｆ（具体的には、幅広の他方面側溝部１０ｉ）と一方面側溝部１０ａとが重なる位置に形成される。より詳しくは、貫通孔１０ｄは、他方面側溝部１０ｆの内面（具体的には、底面１０ｈ）から一方面側溝部１０ａの内面（具体的には、底面１０ｃ）に亘って本体部１０の厚み方向に形成される。
【００３６】
また、本体部１０の他方の面側の貫通孔１０ｄの開口部１０ｋは、他方面側溝部１０ｆ（具体的には、幅広の他方面側溝部１０ｉ）の内側に形成される。本実施形態では、開口部１０ｋは、一方向に伸びる他方面側溝部１０ｆ（具体的には、幅広の他方面側溝部１０ｉ）と他方向に伸びる他方面側溝部１０ｆ（具体的には、幅広の他方面側溝部１０ｉ）との交差位置に形成される。また、開口部１０ｋは、他方面側溝部１０ｆ（具体的には、幅広の他方面側溝部１０ｉ）の形状に対応した形状に形成される。具体的には、開口部１０ｋは、一方向に伸びる他方面側溝部１０ｆ（具体的には、幅広の他方面側溝部１０ｉ）と他方向に伸びる他方面側溝部１０ｆ（具体的には、幅広の他方面側溝部１０ｉ）との交差位置の形状（即ち、十字状）に形成される。
【００３７】
次に、上記のように構成される基材プレート１の使用方法について説明する。基材プレート１は、複数を配列して使用することができる。具体的には、一の基材プレート１が備える一方面側溝部１０ａの溝部解放部１０ａ’と、他の基材プレート１が備える一方面側溝部１０ａの溝部解放部１０ａ’とが本体部１０の面方向で重なるように一の基材プレート１と他の基材プレート１とを配列して使用することができる。
【００３８】
そして、基材プレート１は、図４（ａ）に示すように、一方の面が構造物Ｚ１の表面に接するように配置されると共に、他方の面に他の部材Ｚ２が接するように配置される。構造物Ｚ１としては、特に限定されるものではなく、例えば、ビルや家屋の屋上やバルコニーの床面等が挙げられる。他の部材Ｚ２としては、特に限定されるものではなく、例えば、タイルや木材等が挙げられる。
【００３９】
また、基材プレート１（具体的には、本体部１０の一方の面）は、構造物Ｚ１に固定される。基材プレート１（具体的には、本体部１０の一方の面）を構造物Ｚ１に固定する方法としては、特に限定されるものではないが、基材プレート１（具体的には、本体部１０）と構造物Ｚ１との接触面積が固定強度に影響を与えるような方法を採用することができる。例えば、基材プレート１（具体的には、本体部１０の一方の面における構造物Ｚ１と接する領域Ａ１）と構造物Ｚ１の表面との間に両面テープや粘着剤（図示せず）を介在させる方法が挙げられる。
【００４０】
また、基材プレート１（具体的には、本体部１０の他方の面）には、他の部材Ｚ２が固定される。基材プレート１（具体的には、本体部１０の他方の面）に他の部材Ｚ２を固定する方法としては、特に限定されるものではないが、例えば、基材プレート１（具体的には、本体部１０の他方の面）と他の部材Ｚ２との間に両面テープや粘着剤（図示せず）を介在させる方法が挙げられる。
【００４１】
上記のように基材プレート１と構造物Ｚ１と他の部材Ｚ２とが配置された状態で、一方面側溝部１０ａの内側を水や湿気が流通し、溝部解放部１０ａ’から基材プレート１（本体部１０）の外側へ排出される。例えば、一方面側溝部１０ａの長手方向の一端部に形成された溝部解放部１０ａ’から一方面側溝部１０ａ内に侵入した水が一方面側溝部１０ａを流通して長手方向の他端部に形成された溝部解放部１０ａ’から排出される。また、他方面側溝部１０ｆの内側を水や湿気が流通し、溝部解放部１０ｆ’から基材プレート１（本体部１０）の外側へ排出される。例えば、他方面側溝部１０ｆの長手方向の一端部に形成された溝部解放部１０ｆ’から他方面側溝部１０ｆ内に侵入した水が他方面側溝部１０ｆを流通して長手方向の他端部に形成された溝部解放部１０ｆ’から排出される。
【００４２】
また、他方面側溝部１０ｆ（具体的には、幅広の他方面側溝部１０ｉ）内の水や湿気は、図４（ｂ）に示すように、貫通孔１０ｄを通って一方面側溝部１０ａに流入し、一方面側溝部１０ａ内の水や湿気は、貫通孔１０ｄを通って他方面側溝部１０ｆ（具体的には、幅広の他方面側溝部１０ｉ）に流入する。これにより、一方面側溝部１０ａ内の水や湿気が他方面側溝部１０ｆを通じて溝部解放部１０ｆ’から基材プレート１（具体的には、本体部１０）の外側に排出され、他方面側溝部１０ｆ内の水や湿気が一方面側溝部１０ａを通じて溝部解放部１０ａ’から基材プレート１（具体的には、本体部１０）の外側に排出される。
【００４３】
以上のように、本願実施形態に係る基材プレート１及び基材プレート１の配列方法は、構造物Ｚ１の表面との間の水はけを良好にできると共に、構造物Ｚ１の表面に対して固定された状態を良好に維持することができる。
【００４４】
即ち、本体部１０が一方面側溝部１０ａ、他方面側溝部１０ｆ、及び、貫通孔１０ｄを備えることで、基材プレート１の一方の面と構造物Ｚ１の表面との間、及び、基材プレート１の他方の面と該他方の面に接する他の部材Ｚ２との間に湿気や水（以下、水分とも記す）が溜まってしまうのを抑制することができる。
【００４５】
具体的には、一方面側溝部１０ａ及び他方面側溝部１０ｆの各内側空間を面方向（本体部１０の厚み方向に対して交差する方向の）外方へ解放する溝部解放部１０ａ’，１０ｆ’を本体部１０の外周端部に複数備えるため、一方面側溝部１０ａや他方面側溝部１０ｆの内側の水分が溝部解放部１０ａ’，１０ｆ’から本体部１０の外側へ排出される。また、一方面側溝部１０ａと他方面側溝部１０ｆとを連通させる貫通孔１０ｄを備えことで、一方面側溝部１０ａ（又は、他方面側溝部１０ｆ）の内側の水分が貫通孔１０ｄを介して他方面側溝部１０ｆ（又は、一方面側溝部１０ａ）の内側へ流入し、該水分が他方面側溝部１０ｆ（又は、一方面側溝部１０ａ）を溝部解放部１０ｆ’（又は、溝部解放部１０ａ’）から本体部１０の外側へ排出される。これにより、基材プレート１の一方の面と構造物Ｚ１の表面との間、及び、基材プレート１の他方の面と該他方の面に接する他の部材Ｚ２との間に水分が溜まってしまうのを抑制することができる。
【００４６】
更に、本体部１０の一方の面における構造物Ｚ１と接する領域Ａ１の面積が一方面側溝部１０ａの占める面積（各一方面側溝部１０ａを構成する一対の内壁面１０ｂ，１０ｂにおける底面１０ｃ側の各端部に対して一方面側溝部１０ａの深さ方向で対向する側の各端部間の領域の面積、即ち、一方面側溝部１０ａの開放面の面積）よりも広くなるように構成されることで、基材プレート１と構造物Ｚ１の表面との接触面積を比較的広く確保することができる。これにより、例えば、本体部１０の一方の面における構造物Ｚ１と接する領域Ａ１と構造物Ｚ１の表面との間に両面テープや接着剤を介在させた際に、良好な接着強度を得ることができるため、構造物Ｚ１の表面に対して基材プレート１が固定された状態を良好に維持することができる。
【００４７】
また、一方向に伸びる前記一方面側溝部１０ａと、一方向又は一方向に対して交差する他方向に伸びる前記他方面側溝部１０ｆとを備えており、前記一方面側溝部１０ａ及び他方面側溝部１０ｆの長手方向の各両端部に前記溝部解放部１０ａ’，１０ｆ’が形成されることで、一方面側溝部１０ａ及び他方面側溝部１０ｆの内側の水分が一方向又は他方向に向けて流れるため、水や湿気の流通がスムーズになる。これにより、一方面側溝部１０ａ及び他方面側溝部１０ｆの内側の水分を本体部１０の外側へ効果的に排出させることができる。
【００４８】
また、前記一方面側溝部１０ａ又は他方面側溝部１０ｆの少なくとも一方を複数備えることで、基材プレート１の一方の面と構造物Ｚ１の表面との間、及び、基材プレート１の他方の面と該他方の面に接する他の部材Ｚ２との間の水分を本体部１０の外側へ排出可能な流路が複数形成されることになる。これにより、基材プレート１の一方の面と構造物Ｚ１の表面との間、及び、基材プレート１の他方の面と該他方の面に接する他の部材Ｚ２との間に水分が溜まってしまうのをより効果的に抑制することができる。
【００４９】
また、一の基材プレート１が備える一方面側溝部１０ａの溝部解放部１０ａ’と、該一の基材プレート１に隣接する他の基材プレート１が備える一方面側溝部１０ａの溝部解放部１０ａ’とが本体部１０の面方向（本体部１０の厚み方向に対して交差する方向）で重なるように一の基材プレート１と他の基材プレート１とを配列することで、一の基材プレート１が備える一方面側溝部１０ａと他の基材プレート１が備える一方面側溝部１０ａとが連通する。これにより、複数の基材プレート１が構造物Ｚ１の表面に接するように配列される場合であっても、構造物Ｚ１の表面と複数の基材プレート１との間の水分を複数の基材プレート１の配列の外側へ排出することができる。
【００５０】
なお、本発明に係る基材プレート及び基材プレートの配列方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００５１】
例えば、上記実施形態では、直線状の一方面側溝部１０ａ及び直線状の他方面側溝部１０ｆの両端部に溝部解放部１０ａ’１０ｆ’を備えるように構成されているが、一方面側溝部１０ａ及び他方面側溝部１０ｆの複数箇所が本体部１０の外周端縁と重なるように構成されていれば、これに限定されるものではない。例えば、一方面側溝部１０ａ及び他方面側溝部１０ｆを曲線状に形成し、両端部間の位置において本体部１０の外周端縁と複数箇所で重なるように構成してもよい。
【００５２】
上記実施形態では、複数の一方面側溝部１０ａ及び複数の他方面側溝部１０ｆの長手方向の両端部の全てが本体部１０の外周端縁に達するように構成されているが、これに限定されるものではなく、例えば、幾つかの端部が本体部１０の外周端縁に達しないように構成されてもよい。
【００５３】
また、上記の基材プレート１において、本体部１０の一方の面側及び／又は他方の面側に種々の設備（具体的には、機械、治具、又は、電熱線）の位置決めをするための凹部を一方面側溝部１０ａや他方面側溝部１０ｆとは別に設けてもよい。
【００５４】
また、上記実施形態では、基材プレート１は、本体部１０のみから構成されているが、これに限定されるものではなく、例えば、複数の基材プレート１（本体部１０）を連結するための連結部と、本体部１０とを備えるように構成してもよい。
【００５５】
また、上記実施形態では、一方面側溝部１０ａ及び他方面側溝部１０ｆは、長手方向の両端部に溝部解放部１０ａ’，１０ｆ’を備えるように構成されているが、これに限定されるものではなく、一方面側溝部１０ａ及び他方面側溝部１０ｆのそれぞれが長手方向の一端部のみに溝部解放部１０ａ’，１０ｆ’を備えるように構成されてもよい。斯かる場合には、一方面側溝部１０ａ（又は、他方面側溝部１０ｆ）の溝部解放部１０ａ’（又は、溝部解放部１０ｆ’）から一方面側溝部１０ａ（又は、他方面側溝部１０ｆ）の内側空間へ侵入した水分が貫通孔１０ｄを通って他方面側溝部１０ｆ（又は、一方面側溝部１０ａ）の内側空間へ侵入し、他方面側溝部１０ｆの溝部解放部１０ｆ’から排出される。
【００５６】
また、上記実施形態では、基材プレート１（本体部１０）は、構造物Ｚ１の上（具体的には、床面）に載置されるように構成されているが、これに限定されるものではなく、例えば、構造物Ｚ１の壁面に接するように配置されてもよい。
【符号の説明】
【００５７】
１…基材プレート、１０…本体部、１０ａ…一方面側溝部、１０ａ’…溝部解放部、１０ｂ…内壁面、１０ｃ…底面、１０ｄ…貫通孔、１０ｅ…開口部、１０ｆ，１０ｉ，１０ｊ…他方面側溝部、１０ｆ’…溝部解放部、１０ｇ…内壁面、１０ｈ…底面、１０ｋ…開口部、Ｚ１…構造物、Ｚ２…他の部材
【図１】
2017186768.tif 000003
【図２】
2017186768.tif 000004
【図３】
2017186768.tif 000005
【図４】
2017186768.tif 000006